(57)【要約】ＴＤＭＡネットワークにおいて、移動局（６ａ，６ｂ）は、基地局によってスロット割り当てと出力電力レベルを与えられている。このため、スロット割り当てのサイズと要求される出力電力レベルの組み合わせが移動局（６ａ，６ｂ）の能力を超える状況が生じ得る。この問題を解決するため、移動局（６ａ，６ｂ）には、ピーク出力電力を低減したり割り当てスロットの占有を低減したりすることによって平均出力電力を一方的に低減する能力が与えられている。
2006514453.tif 000002
【特許請求の範囲】
【請求項１】
ＴＤＭＡネットワークにおいて移動局を操作する方法であって、該方法は、
基地局からピーク出力電力設定コマンドを受信し、
前記基地局から送信スロット割り当てを受信することを備え、
前記移動局で、所定の基準を満たす該移動局の高周波システムのパラメータを検出し、
ピーク出力電力設定コマンドが割り当てられた全てのスロットに適合する場合に得られる平均出力電力レベル以下となるように複数のスロットにわたって前記移動局の平均高周波出力電力を修正することによって前記検出に応答することによって特徴付けられる方法。
【請求項２】
請求項１に記載の方法において、前記基準は、スロット割り当ての増大を備える方法。
【請求項３】
請求項２に記載の方法において、前記応答は、各送信スロットにおける瞬間高周波出力電力を低減することによって平均高周波出力電力を低減することを備える方法。
【請求項４】
請求項２に記載の方法において、前記応答は、割り当てスロットの占有を低減することによって平均高周波出力電力を低減する方法。
【請求項５】
請求項３または４に記載の方法において、前記検出と前記応答との間、所定時間だけ待機することを含む方法。
【請求項６】
請求項１に記載の方法において、前記基準は、高周波電力増幅器の温度の閾値である方法。
【請求項７】
請求項６に記載の方法において、前記応答は、各送信スロットにおける瞬間高周波出力電力を低減することによって平均高周波出力電力を低減することを備える方法。
【請求項８】
請求項６に記載の方法において、前記応答は、割り当てスロットの占有を低減することによって平均高周波出力電力を低減することを備える方法。
【請求項９】
ＴＤＭＡネットワークのための移動局であって、該移動局は、制御装置および高周波出力電力増幅器を備え、前記制御装置は、請求項１〜８のいずれか１項に記載の方法を実行するよう前記移動局の動作を制御することによって特徴付けられる移動局。
【発明の詳細な説明】
【技術分野】
【０００１】
本発明は、ＴＤＭＡネットワークにおいて移動局を操作する方法に関する。
【背景技術】
【０００２】
ＴＤＭＡネットワークにおける移動電話およびコミュニケータといった移動局に高速データサービスを提供するため、移動局が各ＴＤＭＡフレーム内の１つより多いスロットで送信する必要が生じた。この際、問題となるのは、基地局は移動局の最大出力能力を知らなければならないということである。
【発明の開示】
【発明が解決しようとする課題】
【０００３】
クラスマーク変更手順またはルーティングエリア更新を通じて移動局が電力クラスを変更できるようにすることが提案されているが、こうした手順は非常に低速でありネットワーク実装によっては確実にサポートできないものがあることが判明している。
【課題を解決するための手段】
【０００４】
本発明によれば、ＴＤＭＡネットワークにおいて移動局を操作する方法であって、該方法は、
基地局からピーク出力電力設定コマンドを受信し、
前記基地局から送信スロット割り当てを受信することを備え、
前記移動局で、所定の基準を満たす該移動局の高周波システムのパラメータを検出し、
ピーク出力電力設定コマンドが割り当てられた全てのスロットに適合する場合に得られる平均出力電力レベル以下となるように複数のスロットにわたって前記移動局の平均高周波出力電力を修正することによって前記検出に応答することによって特徴付けられる方法が提供される。
【０００５】
上記基準は、スロット割り当ての増大を含んでもよい。スロット割り当ての増大は、追加帯域幅が必要な場合発生する。もう１つの有用な基準は、高周波出力電力増幅器の温度である。複数のスロットは連続的であってもなくてもよい。
【０００６】
上記応答は、各送信スロットにおける瞬間高周波出力電力を低減することによって平均高周波出力電力を低減すること、および／または、割り当てスロットの占有を低減することによって平均高周波出力電力を低減することを含んでもよい。スロット割り当てを変更する場合、前記検出と前記応答との間に所定の時間遅延があることが好適である。
【０００７】
また、本発明によれば、ＴＤＭＡネットワークのための移動局であって、該移動局は、制御装置および高周波出力電力増幅器を備え、前記制御装置は、本発明に係る方法を実行するよう移動局の動作を制御することによって特徴付けられる移動局が提供される。
【発明を実施するための最良の形態】
【０００８】
本発明に係る好適な実施例を、単なる例示として、添付図面を参照して説明する。
【実施例】
【０００９】
図１を参照すると、移動電話ネットワーク１は、第１および第２の交換局２ａ，２ｂを含む複数の交換局を備える。第１の交換局２ａは、第１および第２の基地局制御装置３ａ，３ｂを含む複数の基地局制御装置に接続される。第２の交換局２ｂは同様に複数の基地局制御装置（図示せず）に接続される。
【００１０】
第１の基地局制御装置３ａは、基地送受信局４と複数の他の基地送受信局に接続され、これらを制御する。第２の基地局制御装置３ｂは、同様に複数の基地送受信局（図示せず）に接続され、これらを制御する。
【００１１】
この例では、各基地送受信局はそれぞれのセルにサービスを提供する。すなわち、基地送受信局４は、セル５にサービスを提供する。しかしながら、複数のセルは、指向性アンテナによって１つの基地送受信局のサービスの提供を受けてもよい。複数の移動局６ａ，６ｂは、セル５内にある。任意のセル内の移動局の数と識別情報は、時間と共に変化し得ることが理解されるだろう。
【００１２】
移動電話ネットワーク１は、ゲートウェイ交換局８によって公衆交換電話ネットワーク７に接続される。
【００１３】
ネットワークのパケットサービスの態様は、それぞれ複数の基地局制御装置３ａ，３ｂに接続される複数のパケットサービスサポートノード（１つを図示する）９を含む。少なくとも１つのパケットサービスサポートゲートウェイノード１０は各パケットサービスサポートノード１０をインターネット１１に接続する。
【００１４】
交換局３ａ，３ｂおよびパケットサービスサポートノード９は、ホームロケーションレジスタ１２へのアクセスを有する。
【００１５】
移動局６ａ，６ｂと基地送受信局４との間の通信は、時分割多重アクセス（ＴＤＭＡ：time-division multiple access）スキームを利用する。
【００１６】
図２を参照すると、第１の移動局６ａは、アンテナ１０１，高周波サブシステム１０２，ベースバンドＤＳＰ（デジタル信号処理）サブシステム１０３，アナログオーディオサブシステム１０４，ラウドスピーカ１０５，マイクロホン１０６，制御装置１０７，液晶ディスプレイ１０８，キーパッド１０９，メモリ１１０，電池１１１および電源回路１１２を備える。
【００１７】
高周波サブシステム１０２は、移動電話の送信機および受信機の中間周波および高周波回路と、移動局の送信機および受信機を同調する周波数シンセサイザとを含む。アンテナ１０１は、高周波サブシステム１０２に結合され電波を受信および送信する。
【００１８】
ベースバンドＤＳＰサブシステム１０３は、高周波サブシステム１０２に結合され高周波サブシステム１０２からベースバンド信号を受信し高周波サブシステム１０２にベースバンド変調信号を送信する。ベースバンドＤＳＰサブシステム１０３は、当業技術分野で周知のコーデック機能を含む。
【００１９】
アナログオーディオサブシステム１０４は、ベースバンドＤＳＰサブシステム１０３に結合され、ベースバンドＤＳＰサブシステム１０３から復調された音声を受信する。アナログオーディオサブシステム１０４は、復調された音声を増幅し、それをラウドスピーカ１０５に印加する。マイクロホン１０６によって検出された音響信号は、アナログオーディオサブシステム１０４によって予め増幅され、コード化のためベースバンドＤＳＰサブシステム４に送信される。
【００２０】
制御装置１０７は、移動電話の動作を制御する。制御装置１０７は、高周波サブシステム１０２に結合され、周波数シンセサイザとベースバンドＤＳＰサブシステム１０３に同調命令を供給し、送信のための制御データと管理データを供給する。制御装置１０７は、メモリ１１０に格納されたプログラムに応じて動作する。メモリ１１０は、制御装置１０７と別に図示する。しかしながら、メモリ１１０は、制御装置１０７と一体であってもよい。
【００２１】
ディスプレイ装置１０８は、制御データを受信するため制御装置１０７に接続され、また、キーパッド１０９は、ユーザ入力データ信号を供給するため制御装置１０７に接続される。
【００２２】
電池１１１は、移動電話の構成要素が使用する様々な電圧の安定化電力を提供する電源回路１１２に接続される。
【００２３】
制御装置１０７は、音声およびデータ通信、および、例えば、移動局のデータ通信能力を利用するＷＡＰブラウザのようなアプリケーションプログラムを備えた移動局を制御するようプログラムされる。
【００２４】
第２の移動局６ｂも、同様の構成である。
図３を参照すると、ごく単純化すると、基地送受信局４は、アンテナ２０１，高周波サブシステム２０２，ベースバンドＤＳＰ（デジタル信号処理）サブシステム２０３，基地局制御装置インタフェース２０４および制御装置２０７を備える。
【００２５】
高周波サブシステム２０２は、基地局の送信機および受信機の中間周波および高周波回路と基地送受信局の送信機および受信機を同調する周波数シンセサイザとを含む。アンテナ２０１は、高周波サブシステム２０２に結合され電波を受信および送信する。
【００２６】
ベースバンドＤＳＰサブシステム２０３は、高周波サブシステム２０２に結合され高周波サブシステム２０２からベースバンド信号を受信し高周波サブシステム２０２にベースバンド変調信号を送信する。ベースバンドＤＳＰサブシステム２０３は、当業技術分野で周知のコーデック機能を含む。
【００２７】
基地局制御装置インタフェース２０４は、基地送受信局４とそれを制御する基地局制御装置３ａとの間のインタフェースとなる。
【００２８】
制御装置２０７は、基地送受信局４の動作を制御する。制御装置２０７は、高周波サブシステム２０２に結合され、周波数シンセサイザとベースバンドＤＳＰサブシステムに同調命令を供給し、送信のための制御データと管理データを供給する。制御装置２０７は、メモリ２１０に格納されたプログラムに応じて動作する。
【００２９】
基地局制御装置３ａ，３ｂは、移動局への無線リンクリソースの割り当てを担当し、基地送受信局４が電力コマンド信号を移動局６ａ，６ｂに送信できるようにする。通常の状況では、移動局６ａ，６ｂは、このコマンド信号に照応する電力レベルで送信する。しかしながら、本発明によれば、以下説明するように必ずしもそうではない。
【００３０】
図４を参照すると、移動局６ａ，６ｂと基地送受信局４との間の通信のため使用される各ＴＤＭＡフレームは、８つの０．５７７ｍｓタイムスロットを備える。「２６マルチフレーム」は、２６のフレームを備え、また、「５１マルチフレーム」は、５１のフレームを備える。５１の「２６マルチフレーム」または２６の「５１マルチフレーム」が１つのスーパーフレームを構成する。最後に、ハイパーフレームは、２０４８のスーパーフレームを備える。
【００３１】
タイムスロット内のデータフォーマットは、タイムスロットの機能に応じて変化する。通常のバースト、すなわち、タイムスロットは、３つの末尾ビットと、それに続く５８の暗号化データビット、２６ビットのトレーニングシーケンス、５８の暗号化データビットの別のシーケンス、および、さらなる３つの末尾ビットを備える。８．２５ビット持続期間のガード期間は、バーストの末尾に提供される。周波数補正バーストも、同じ末尾ビットとガード期間を有する。しかしながら、そのペイロードは、固定１４２ビットシーケンスを備える。同期バーストは通常のバーストと同様であるが、暗号化データが３９ビットの２クロックに減らされ、トレーニングシーケンスが６４ビットの同期シーケンスに置換されている点が異なっている。最後に、アクセスバーストは、８つの初期末尾ビットと、それに続く４１ビットの同期シーケンス、３６ビットの暗号化データおよびさらなる３つの末尾ビットを備える。この場合、ガード期間は６８．２５ビット長である。
【００３２】
回線交換音声トラフィックのために使用する場合、チャネル化スキームは、ＧＳＭで利用されるものである。
【００３３】
図５を参照すると、フルレートパケット交換チャネルは、「５２マルチフレーム」にわたる１２の４スロット無線ブロックを利用する。第３，第６，第９および第１２の無線ブロックの後には、空きスロットが続く。
【００３４】
図６を参照すると、専用および共用両方のハーフレートパケット交換チャネルの場合、スロットは、２つのサブチャネルに交互に割り当てられる。
【００３５】
移動局６ａ，６ｂおよび基地送受信局４のベースバンドＤＳＰサブシステム１０３，２０３と制御装置１０７，２０７は、２つのプロトコルスタックを実現するよう構成されている。第１のプロトコルスタックは回線交換トラフィックのためのものであり、従来のＧＳＭシステムで利用されているものとほぼ同じである。第２のプロトコルスタックは、パケット交換トラフィックのためのものである。
【００３６】
図７を参照すると、移動局６ａ，６ｂと基地局制御装置４との間の無線リンクに関連する層は、無線リンク制御層４０１、媒体アクセス制御層４０２および物理層４０３である。
【００３７】
無線リンク制御層４０１は、透過（transparent）モードと非透過（non-transparent）モードという２つのモードを有する。透過モードにおいて、データは、修正なしに単に無線リンク制御層を通って行き来するだけに過ぎない。
【００３８】
非透過モードでは、無線リンク制御装置４０１は、リンク適応を提供し、データ単位を必要に応じてセグメント化または連結することによって高位レベルから受信したデータ単位からデータブロックを構成し、スタックを通過するデータの相互処理を行う。また、無線リンク制御層４０１は、肯定応答モード（acknowledged mode）が使用されているか否かに応じて、脱落したデータブロックの検出やデータのコンテンツの上向き転送のためのデータブロックの再順序付けを担当する。また、この層は肯定応答モードで逆方向エラー訂正を提供してもよい。
【００３９】
媒体アクセス制御層４０２は、無線リンク制御層４０１から適当なトランスポートまたは論理チャネルへのデータブロックの割り当てと、トランスポートまたは論理チャネルから無線リンク制御層４０３への受信した無線ブロックの転送を担当する。
【００４０】
物理層４０３は、トランスポートまたは論理チャネルを通過したデータからの送信無線信号の形成と、正しいトランスポートまたは論理チャネルを通じた媒体アクセス制御層４０２への受信データの転送を担当する。
【００４１】
ブロックは、媒体アクセス制御層４０２と物理層４０３との間で無線ブロックタイミングに同期して交換される。すなわち、ブロックは、各無線ブロック間隔で物理層に転送される。
【００４２】
増大するトランスポートまたは論理チャネルスループットをサポートするため帯域幅への要求が増大するに連れて、より多くのスロットが必要になる。スロットの使用量が増大する結果、移動局の電力増幅器が過熱し、サポートできない電流が必要になることがある。
【００４３】
第１実施例では、移動局はスロット使用量／電力の組み合わせの閾値に応じて出力電力を直接変更する。
【００４４】
図８を参照すると、スロットに対する要求が変化すると、移動局６ａ，６ｂの制御装置１０７は、現在の瞬間電力増幅器出力電力レベルが変更後に使用されるスロットの数に対して設定された第１の閾値を超えているか否かを判定する（ステップｓ１）。第１の閾値は、許容可能な平均出力電力レベルを与える瞬間出力電力レベルである。第１の閾値を超えている場合、制御装置１０７は必要な電力低減を判定し、これを、サービス基地局制御装置３ａ，３ｂによって移動局６ａ，６ｂに要求される電力レベルより例えば３ｄＢといった、「許容可能な低減」マージンだけ低い値に設定された第２の閾値と比較する。この低減された電力レベルが第２の閾値より小さい場合、制御装置１０７は、追加のスロットを必要とするサービスは提供できないことをアプリケーションに通知する（ステップｓ３）。電力を低減しても電力増幅器出力電力レベルが第２の閾値より小さくならない場合、制御装置１０７は、それに応じて出力電力を低減する（ステップｓ４）。ステップｓ３およびｓ４の後処理は終了する。
【００４５】
第１の閾値を超えていない場合（ステップｓ１）、制御装置１０７は、現在の電力増幅器出力電力レベルがサービス基地局制御装置３ａ，３ｂによって移動局６ａ，６ｂに要求される現在の電力レベルより小さいか否かを判定する（ステップｓ５）。この状況は、スロットの使用量が低減された時生じ得る。現在の出力電力レベルが要求されるレベルより小さくない場合、処理は終了する。しかしながら、現在の電力レベルが要求されるレベルより小さい場合、現在の電力増幅器出力電力レベルを、第２の閾値を超えない範囲において可能な限り要求されるレベルに近づけるように増大し（ステップｓ６）、処理は終了する。
【００４６】
第２実施例では、移動局は、増幅器内の好都合に利用できる直流電圧またはこの目的のために提供される温度センサ（図示せず）を監視することによって感知される高周波電力増幅器の温度に応じて出力電力を変更する。この場合、全てのスロットのピーク出力電力を、温度が閾値レベルを超えるまでＢＳＳによって要求されるレベルに保持し、その後出力電力を所定の限度内で低減する。
【００４７】
図９を参照すると、制御装置１０７は定期的に、移動局の高周波電力増幅器の温度を、最大許容動作温度に対応する第１の閾値と比較する（ステップｓ１０１）。第１の閾値を超えている場合、制御装置１０７は電力を低減する（ステップｓ１０２）。ステップｓ１０２の後処理は終了する。
【００４８】
第１の閾値を超えていない場合（ステップｓ１０１）、温度を第２の低い閾値と比較する（ｓ１０３）。第２の低い閾値は、電力制御にある程度のヒステリシスを導入するために使用される。温度が第２の閾値より小さくない場合、処理は終了する。しかしながら、温度が第２の閾値より小さい場合、制御装置１０７は、現在の電力が、サービスサービス基地局制御装置３ａ，３ｂによって要求されるレベルより小さいか否かを判定し（ステップｓ１０４）、もしそうであれば、移動局の出力電力レベルを、例えば、２ｄＢステップで増大し（ステップｓ１０５）、処理は終了する。そうでなければ、移動局の出力電力を変更せずに、処理は単に終了する。
【００４９】
第３実施例では、比較的高い平均電力レベルが許容される。しかしながら、こうした高い電力レベルは、短期間の高帯域幅使用を許容しつつ過熱を避けるための遅延の後調整して下げられる。
【００５０】
図１０を参照すると、スロットに対する要求が変化すると、移動局６ａ，６ｂの制御装置１０７は、現在の瞬間電力増幅器出力電力レベルが第１の閾値を超えているか否かを判定する（ステップｓ２０１）。第１の閾値は、許容可能な平均出力電力レベルを与える瞬間出力電力レベルである。第１の閾値を超えている場合、制御装置１０７は冷却フラグが設定されているか否かを判定し（ステップｓ２０２）、設定されていない場合、タイマがすでに動作していないならばタイマを設定し（ステップｓ２０３）、出力電力レベルを増大し（ステップｓ２０４）、処理を終了する。そうでなければ、追加のスロットを必要とするサービスは提供できないことをアプリケーションに警告し（ステップｓ２０５）、処理は終了する。
【００５１】
第１の閾値を超えていない場合（ステップｓ２０１）、制御装置１０７は、現在の瞬間電力増幅器出力電力レベルが、サービス基地局制御装置３ａ，３ｂによって移動局６ａ，６ｂに要求される現在の電力レベルより小さいか否かを判定する（ステップｓ２０６）。この状況は、スロット割り当てが低減された時生じ得る。現在の瞬間出力電力レベルが要求されるレベルより小さくない場合、処理は終了する。しかしながら、現在の電力レベルが要求されるレベルより小さい場合、現在の電力レベルを、第２の閾値を超えない範囲でできるだけ要求されるレベルに近づくように増大し（ステップｓ２０４）、処理は終了する。
【００５２】
図１１を参照すると、タイマが終了すると、制御装置１０７は必要な電力低減を判定し、これを、サービス基地送受信局４によって移動局６ａ，６ｂに要求されるレベルよりも、例えば、６ｄＢといった「許容可能な低減」マージンだけ低い値に設定された第２の閾値と比較する。この低減された電力レベルが第２の閾値より小さい場合、制御装置１０７は、追加のスロットを必要とするサービスは提供できないことをアプリケーションに通知する（ステップｓ２０８）。電力を低減しても電力増幅器出力電力が第２の閾値より小さくならない場合、制御装置はそれに応じて出力電力を低減する（ステップｓ２０９）。また、タイマが終了する時、冷却フラグを設定する（ステップｓ２１０）。
【００５３】
瞬間出力電力を低減することの代替案は、サービス基地局制御装置３ａ，３ｂによって移動局に割り当てられた全てのスロットを使用しないことによって平均出力電力を低減することである。
【００５４】
第４実施例では、移動局は許容されるスロット使用量／電力の組み合わせの閾値に応じて実際のスロット使用量を直接変更する。
【００５５】
図１２を参照すると、スロットに対する要求が変化すると、移動局６ａ，６ｂの制御装置１０７は、新しい平均電力増幅器出力電力レベルが変化の後使用されるべきスロットの数に対して設定された第１の閾値を超えているか否かを判定する（ステップｓ３０１）。第１の閾値を超えている場合、制御装置１０７は、平均電力レベルを第１の閾値以下に低減するために必要な割り当てスロット占有の低減を判定する。新しいスロット占有値を第２の閾値、すなわち、現在のサービスレベルをサポートするために必要なスロットの最小数と比較する（ステップｓ３０２）。低減された割り当てスロット占有が第２の閾値より小さい場合、制御装置１０７は、余分のスロットを必要とするサービスは提供できないことをアプリケーションに通知する（ステップｓ３０３）。スロット占有を低減してもスロット占有が第２の閾値より小さくならない場合、制御装置１０７は、使用される割り当てスロットの割合を低減する（ステップｓ３０４）。ステップｓ３０３およびｓ３０４の後処理は終了する。
【００５６】
第１の閾値を超えていない場合（ステップｓ３０１）、制御装置１０７は、新しい平均電力増幅器の出力電力が、サービス基地局制御装置３ａ，３ｂによって移動局に要求される現在の電力レベルに対応する平均より小さくなりそうか否かを判定する（ステップｓ３０５）。この状況は、スロットの使用量が低減された時に生じ得る。新しい平均出力電力レベルが要求されるレベルに対応するものより小さくなりそうにない場合、処理は終了する。しかしながら、新しい平均電力レベルが要求される瞬間電力レベルに対応するものより小さくなりそうな場合、スロットの占有を、第１の閾値を超えない範囲でできるだけ割り当てられたレベルに近づけるように増大し（ステップｓ３０６）、処理は終了する。
【００５７】
第５実施例では、移動局は、増幅器内の好都合に監視できる直流電圧または特にこの目的のために提供されるセンサを監視することによって感知される高周波電力増幅器の温度に応じて、割り当てスロット占有を変更する。
【００５８】
図１３を参照すると、制御装置１０７は定期的に、移動局の高周波電力増幅器の温度を、最大許容動作温度に対応する第１の閾値と比較する（ステップｓ４０１）。第１の閾値を超えている場合、制御装置１０７は、サービスを放棄せずに割り当てスロット占有の低減が可能か否かを判定する（ステップｓ４０２）。割り当てスロット占有が最小許容可能レベルより小さくなりそうな場合、リソースが不十分なためサービス（単数または複数）が失われることがあり、アプリケーションはリソースの不足について通知される（ステップｓ４０３）。そうでなければ、スロットの占有が低減される（ステップｓ４０４）。ステップｓ４０３およびｓ４０４の後処理は終了する。
【００５９】
第１の閾値を超えていない場合（ステップｓ４０１）、温度を第２の低い閾値と比較する（ステップｓ４０２）。第２の低い閾値は、スロット占有制御にある程度のヒステリシスを導入するために使用される。温度が第２の閾値より小さくない場合、処理は終了する。しかしながら、温度が第２の閾値より小さい場合、制御装置は、現在の平均高周波増幅器出力電力レベルが、サービス基地局制御装置３ａ，３ｂから要求される電力レベルに対応するものより小さいか否かを判定し、もしそうであれば、移動局の割り当てスロット占有を増大し（ステップｓ４０７）、処理は終了する。そうでなければ、移動局の割り当てスロット占有を変更せずに、処理は単に終了する。
【００６０】
第６実施例では、割り当てスロット占有は、短期間の高帯域幅使用を許容しつつ過熱を避けるための遅延の後、調整して下げられる。
【００６１】
図１４を参照すると、スロットに対する要求が変化すると、移動局６ａ，６ｂの制御装置１０７は、新しい平均電力増幅器出力電力レベルが第１の閾値を超えているか否かを判定する（ステップｓ５０１）。第１の閾値は、許容可能な平均出力電力レベルを与える瞬間出力電力レベルである。第１の閾値を超えている場合、制御装置１０７は、冷却フラグが設定されているか否かを判定し（ステップｓ５０２）、設定されていない場合、タイマがすでに動作していないならばタイマを設定し（ステップｓ５０３）、出力電力レベルを増大し（ステップｓ５０４）、処理を終了する。そうでなければ、追加のスロットを必要とするサービスは提供できないことをアプリケーションに警告し（ステップｓ５０５）、処理は終了する。
【００６２】
第１の閾値を超えていない場合（ステップｓ５０１）、制御装置１０７は、新しい平均電力増幅器出力電力レベルが、サービス基地局制御装置３ａ，３ｂによって移動局６ａ，６ｂに要求される現在の電力レベルに対応するものより小さいか否かを判定する（ステップｓ５０６）。この状況は、スロット割り当てが低減された時生じ得る。新しい平均出力電力レベルが要求されるレベルに対応するものより小さくなりそうにない場合、処理は終了する。しかしながら、新しい平均電力レベルが要求されるレベルに対応するものより小さい場合、割り当てスロットの占有を、第２の閾値を超えない範囲でできるだけ要求されるレベルに対応するものに近づけるように増大し（ステップｓ５０４）、処理は終了する。
【００６３】
図１５を参照すると、タイマが終了すると、制御装置１０７は、割り当てスロット占有の低減が必要であると判定し、これを現在のサービスをサポートする最小使用可能スロット占有に設定された第２の閾値と比較する（ステップｓ５０７）。低減されたスロット占有が第２の閾値より小さい場合、制御装置１０７は、追加のスロットを必要とするサービスは提供できないことをアプリケーションに通知する（ステップｓ５０８）。電力を低減しても電力増幅器出力電力が第２の閾値より小さくならない場合、制御装置１０７は、それに応じて出力電力を低減する（ステップｓ５０９）。また、タイマが終了する時、冷却フラグを設定する（ステップｓ５１０）。
【００６４】
以上の記載で言及した電力平均は、移動ウィンドウにおける瞬間電力レベルから計算する。ウィンドウの長さは、高周波電力増幅器の熱特性、スロットおよびフレームの持続期間、並びに、フレーム中のスロットの数に依存する。
【図面の簡単な説明】
【００６５】
【図１】本発明に係る移動通信システムを示す図である。
【図２】移動局のブロック図である。
【図３】基地送受信局のブロック図である。
【図４】本発明の一実施例で使用するフレーム構造を例示する図である。
【図５】本発明の一実施例におけるパケットデータチャネルを例示する図である。
【図６】本発明の一実施例における２つのハーフレートパケットチャネル間の無線チャネルの共有を例示する図である。
【図７】本発明の一実施例で使用するプロトコルスタックの下位レベルを例示する図である。
【図８】本発明の第１実施例を例示するフローチャートである。
【図９】本発明の第２実施例を例示するフローチャートである。
【図１０】本発明の第３実施例を例示するフローチャートである。
【図１１】本発明の第３実施例を例示するフローチャートである。
【図１２】本発明の第４実施例を例示するフローチャートである。
【図１３】本発明の第５実施例を例示するフローチャートである。
【図１４】本発明の第６実施例を例示するフローチャートである。
【図１５】本発明の第６実施例を例示するフローチャートである。
【図１】
2006514453.tif 000003
【図２】
2006514453.tif 000004
【図３】
2006514453.tif 000005
【図４】
2006514453.tif 000006
【図５】
2006514453.tif 000007
【図６】
2006514453.tif 000008
【図７】
2006514453.tif 000009
【図８】
2006514453.tif 000010
【図９】
2006514453.tif 000011
【図１０】
2006514453.tif 000012
【図１１】
2006514453.tif 000013
【図１２】
2006514453.tif 000014
【図１３】
2006514453.tif 000015
【図１４】
2006514453.tif 000016
【図１５】
2006514453.tif 000017
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
ＴＤＭＡネットワークにおいて移動局を操作する方法であって、該方法は、
基地局からピーク出力電力設定コマンドを受信し、
前記基地局から送信スロット割り当てを受信し、
前記移動局で、該移動局のスロット割り当ての増大を検出し、
前記受信されたピーク出力電力が閾値を超えているか否かを判定し、該受信されたピーク出力電力が閾値を超えている場合、ピーク出力電力設定コマンドが割り当てられた全てのスロットに適合する場合に得られる平均出力電力レベル以下となるように、各送信スロットまたは割り当てスロットの占有における瞬間高周波出力電力を低減することによって複数のスロットにわたって前記移動局の平均高周波出力電力を修正することを備え、
前記閾値が超えられるようになる判定と、前記平均出力電力の結果として起こる修正の実行との間の所定時間だけ待機することによって特徴付けられる方法。
【請求項２】
請求項１に記載の方法において、冷却フラグは前記所定時間の最後で設定され、且つ、タイマは前記閾値が超えられているときにセットされると共に前記冷却フラグは設定されず、前記タイマは前記所定時間を判定し、該タイマがタイムアウトになると前記平均出力電力の前記結果として起こる修正が実行される方法。
【請求項３】
請求項２に記載の方法において、前記タイマが終了すると、前記移動局でアプリケーションプログラムを動作させ、要求される電力低減がさらなる低い閾値よりも小さくなるのが判定され、前記アプリケーションプログラムは、スロット割り当てにおける増大を要求するサービスはサポートされることができないという警告がなされる方法。
【請求項４】
ＴＤＭＡネットワークのための移動局であって、該移動局は、制御装置および高周波出力電力増幅器を備え、前記制御装置は、請求項１〜３のいずれか１項に記載の方法を実行するよう前記移動局の動作を制御することによって特徴付けられる移動局。
【手続補正２】
【補正対象書類名】明細書
【補正対象項目名】０００４
【補正方法】変更
【補正の内容】
【０００４】
本発明によれば、ＴＤＭＡネットワークにおいて移動局を操作する方法であって、該方法は、
基地局からピーク出力電力設定コマンドを受信し、
前記基地局から送信スロット割り当てを受信し、
前記移動局で、該移動局のスロット割り当ての増大を検出し、
前記受信されたピーク出力電力が閾値を超えているか否かを判定し、該受信されたピーク出力電力が閾値を超えている場合、ピーク出力電力設定コマンドが割り当てられた全てのスロットに適合する場合に得られる平均出力電力レベル以下となるように、各送信スロットまたは割り当てスロットの占有における瞬間高周波出力電力を低減することによって複数のスロットにわたって前記移動局の平均高周波出力電力を修正することを備え、
前記閾値が超えられるようになる判定と、前記平均出力電力の結果として起こる修正の実行との間の所定時間だけ待機することによって特徴付けられる方法が提供される。
【手続補正３】
【補正対象書類名】明細書
【補正対象項目名】００１９
【補正方法】変更
【補正の内容】
【００１９】
アナログオーディオサブシステム１０４は、ベースバンドＤＳＰサブシステム１０３に結合され、ベースバンドＤＳＰサブシステム１０３から復調された音声を受信する。アナログオーディオサブシステム１０４は、復調された音声を増幅し、それをラウドスピーカ１０５に印加する。マイクロホン１０６によって検出された音響信号は、アナログオーディオサブシステム１０４によって予め増幅され、コード化のためベースバンドＤＳＰサブシステム１０３に送信される。
【手続補正４】
【補正対象書類名】図面
【補正対象項目名】図１５
【補正方法】変更
【補正の内容】
【図１５】
2006514453.tif 000018
【国際調査報告】
2006514453.tif 000019
2006514453.tif 000020